(57)【要約】【課題】美的外観に優れた時計を提供すること。【解決手段】時計１は、リング状をなすケース２と、ケース２の裏側に装着される裏蓋３と、裏蓋３をケース２に対して固定する固定手段３０とを備える。固定手段３０は、ケース２と裏蓋３とで囲まれた内部空間５０内で裏蓋３に配置された複数の係合片４と、内部空間５０内で各係合片４をそれぞれ裏蓋３に固定する固定部材としてのボルト８と、ケース２の内周部２５に形成された凹部で構成され、各係合片４と係合する係合部２７とを有する。【選択図】図４
2013050421.tif 000002
【特許請求の範囲】
【請求項１】
リング状をなす時計用ケースと、
前記時計用ケースの裏側に装着される裏蓋と、
前記裏蓋を前記時計用ケースに対して固定する固定手段とを備え、
前記固定手段は、前記時計用ケースと前記裏蓋とで囲まれた空間内で前記時計用ケースおよび前記裏蓋のうちの一方の部材に配置された少なくとも１枚の係合片と、
前記空間内で前記係合片を前記一方の部材に固定する固定部材と、
前記時計用ケースおよび前記裏蓋のうちの他方の部材に設けられ、前記係合片と係合する係合部とを有することを特徴とする時計。
【請求項２】
前記裏蓋は、表側の面に突出形成された突部を有し、
前記係合片は、前記突部の頂部に配置される請求項１に記載の時計。
【請求項３】
前記突部は、前記裏蓋の縁部に沿ったリング状をなす部分である請求項２に記載の時計。
【請求項４】
前記係合部は、前記時計用ケースの内周部に形成された凹部で構成されている請求項２または３に記載の時計。
【請求項５】
前記係合片は、前記裏蓋の縁部との間で前記時計用ケースの一部を挟持する請求項２ないし４のいずれかに記載の時計。
【請求項６】
前記係合片は、前記時計用ケースの中心軸回りに複数配置されている請求項１ないし５のいずれかに記載の時計。
【請求項７】
前記固定部材は、ボルトである請求項１ないし６のいずれかに記載の時計。
【請求項８】
前記時計用ケースと前記裏蓋とは、互いに異なる材料で構成されている請求項１ないし７のいずれかに記載の時計。
【発明の詳細な説明】
【技術分野】
【０００１】
本発明は、時計に関する。
【背景技術】
【０００２】
従来の腕時計としては、リング状をなすケースと、ケースの裏側に装着される裏蓋とを備えるものが知られている（例えば、特許文献１参照）。特許文献１に記載の腕時計では、裏蓋は、ケースに対してボルト（ネジ）を介して固定されている。このボルトは、ケースの外側から裏蓋に向かって締め込まれている。このため、ボルトの頭部（ネジ頭）が露出してしまい、腕時計にとっては、美的外観が損なわれてしまうという問題があった。
【先行技術文献】
【特許文献】
【０００３】
【特許文献１】特開２０１０−１２７７６５号公報
【発明の概要】
【発明が解決しようとする課題】
【０００４】
本発明の目的は、美的外観に優れた時計を提供することにある。
【課題を解決するための手段】
【０００５】
このような目的は、下記の本発明により達成される。
本発明の時計は、リング状をなす時計用ケースと、
前記時計用ケースの裏側に装着される裏蓋と、
前記裏蓋を前記時計用ケースに対して固定する固定手段とを備え、
前記固定手段は、前記時計用ケースと前記裏蓋とで囲まれた空間内で前記時計用ケースおよび前記裏蓋のうちの一方の部材に配置された少なくとも１枚の係合片と、
前記空間内で前記係合片を前記一方の部材に固定する固定部材と、
前記時計用ケースおよび前記裏蓋のうちの他方の部材に設けられ、前記係合片と係合する係合部とを有することを特徴とする。
これにより、時計用ケースと裏蓋とを固定する固定部材が、時計用ケースと裏蓋とで囲まれた空間内に配されることとなり、外側からは視認ができない。これにより、時計は、美的外観に優れたものとなり、審美性が向上する。
【０００６】
本発明の時計では、前記裏蓋は、表側の面に突出形成された突部を有し、
前記係合片は、前記突部の頂部に配置されることが好ましい。
これにより、係合片をその一部が突部よりも外側に突出するように配置することができる。そして、この係合片の突出した部分が係合部と係合することができる。
本発明の時計では、前記突部は、前記裏蓋の縁部に沿ったリング状をなす部分であることが好ましい。
これにより、複数枚の係合片をリブの頂部に配置する場合、当該係合片をリブの周方向に沿って等間隔に配置することができる。そして、このような配置により、複数枚の係合片による係合力を均一に分散することができ、よって、裏蓋がケースに安定して装着される。
【０００７】
本発明の時計では、前記係合部は、前記時計用ケースの内周部に形成された凹部で構成されていることが好ましい。
これにより、凹部を時計用ケースの内周部に沿ったリング状の部分とすることができる。そして、このような形状の凹部に対し、周方向のいずれかの位置に係合片が臨んで、当該係合片の一部が入り込むことができる。これにより、係合片が凹部で構成された係合部に容易かつ確実に係合することができる。
【０００８】
本発明の時計では、前記係合片は、前記裏蓋の縁部との間で前記時計用ケースの一部を挟持することが好ましい。
これにより、挟持した分、固定手段における固定機能が向上する、すなわち、固定力が増加することとなり、よって、時計用ケースに装着された裏蓋が不本意に離脱するのを確実に防止することができる。
【０００９】
本発明の時計では、前記係合片は、前記時計用ケースの中心軸回りに複数配置されていることが好ましい。
これにより、複数枚の係合片を時計用ケースの中心軸回りに等角度間隔に配置することができる。そして、このような配置により、複数枚の係合片による係合力を均一に分散することができ、よって、裏蓋がケースに安定して確実に装着される。
【００１０】
本発明の時計では、前記固定部材は、ボルトであることが好ましい。
一方の部材には、係合片が配される位置にボルトが螺合する雌ネジが形成されている。そして、この雌ネジにボルトが螺合することにより、係合片が一方の部材に確実に固定される。このように固定部材としてボルトを用いることにより、「ねじ留め」という簡単な構成（作業）で係合片を容易かつ確実に固定することができる。
【００１１】
本発明の時計では、前記時計用ケースと前記裏蓋とは、互いに異なる材料で構成されていることが好ましい。
これにより、時計用ケース、裏蓋にそれぞれ適した構成材料を用いることができる。例えば、ケースの構成材料に、美的外観や強度に優れるセラミックスを用い、裏蓋に、例えばムーブメントに対しアース（接地）をすることができるステンレス鋼を用いることができる。
本発明によれば、美的外観に優れた時計となる。
【図面の簡単な説明】
【００１２】
【図１】本発明の時計を腕時計に適用した場合の実施形態を示す斜視図である。
【図２】図１に示す腕時計を組み立てる過程を順に示す断面図である。
【図３】図１に示す腕時計を組み立てる過程を順に示す断面図である。
【図４】図１に示す腕時計を組み立てる過程を順に示す断面図である。
【図５】図４中の一点鎖線で囲まれた領域［Ａ］の拡大図である。
【発明を実施するための形態】
【００１３】
以下、本発明の時計を添付図面に示す好適な実施形態に基づいて詳細に説明する。
＜第１実施形態＞
図１は、本発明の時計を腕時計に適用した場合の実施形態を示す斜視図、図２〜図４は、それぞれ、図１に示す腕時計を組み立てる過程を順に示す断面図、図５は、図４中の一点鎖線で囲まれた領域［Ａ］の拡大図である。なお、以下では、説明の都合上、図１〜図５中の上側を「上」、「上方」または「表」、下側を「下」、「下方」または「裏」と言う。
【００１４】
図１に示す腕時計（以下、単に「時計」という）１は、ケース（時計用ケース）２と、裏蓋３と、ベゼル７と、カバーガラス（風防）５と、バンド２０とを備えている。図３〜図５に示すように、時計１では、裏蓋３は、固定手段３０を介してケース２に対し固定されている。
また、図４に示すように、時計１の内部空間５０（ケース２と裏蓋３とベゼル７とカバーガラス５とで囲まれた空間）には、カバーガラス５が設けられた側から順に、リング部材（ダイヤルリング）１３と、文字板６と、太陽電池７０と、ムーブメント９とが収納されている。また、ムーブメント９には、指針（針）１０である、時針１０１、分針１０２、秒針１０３が回転可能に支持されている。また、指針１０には、時針１０１、分針１０２、秒針１０３の他に、２４時間針（小針）１０４と、曜日針（小針）１０５とがあり、２４時間針１０４、曜日針１０５もムーブメント９に回転可能に支持されている。指針１０は、ムーブメント９とともに時計１の内部空間５０内に収納されている。以下、各部の構成について説明する。
【００１５】
図１〜図４に示すように、ケース２は、円環状（リング状）なす部材で構成されている。このケース２の表側の部分に、ベゼル７が装着、固定されている。裏側の部分に、裏蓋３が装着、固定される。
ケース２の外周部２３には、巻真パイプ（図示せず）が嵌入され、この巻真パイプにりゅうず１２が回転可能に設けられている。りゅうず１２を回転操作することにより、そのトルクがムーブメント９に伝わる。これにより、指針１０が回転駆動し、よって、表示する時刻を調整することができる。
また、ケース２の外周部２３には、その中心軸を介して両側に、バンド２０が連結される連結部としてのラグ２４が設けられている。バンド２０は、時計１を腕に装着する際に用いられるものである。
【００１６】
図２〜図４に示すように、ケース２の内周部２５の上側の部分には、その内径が拡径した拡径部２６が形成されている。拡径部２６は、後述するベゼル７のリブ７１が挿入される挿入部となる。
ベゼル７は、円環状なす部材で構成されている。ベゼルの下側の部分には、その周方向に沿ったリブ７１が突出形成されている。そして、リブ７１とケース２の拡径部２６との間には、弾性材料で構成されたパッキン８０が圧縮状態で配置されている。これにより、ベゼル７とケース２との間での液密性、気密性が維持される。
ベゼル７の内周部７２には、その内径が縮径した縮径部７３が形成されている。この縮径部７３上にカバーガラス５を載置することができる。なお、ベゼル７の内周部７２とカバーガラス５の外周部５１との間には、パッキン９０が圧縮状態で配置されている。これにより、ベゼル７とカバーガラス５との間での液密性、気密性が維持される。
【００１７】
カバーガラス５は、円板状をなし、透明性を有する部材で構成されている。なお、「透明性を有する部材」とは、可視光の透過度が５０％以上程度の透明性を有するものをいう。また、「透明」には、無色透明の他、有色（着色）透明も含まれる。
カバーガラス５の構成材料としては、特に限定されず、例えば、無機ガラス等が挙げられる。この無機ガラスとしては、例えば、ソーダ石灰ガラス、ホウケイ酸ガラス、ハードレックス（強化無機ガラス）、クリアレックス（無反射処理）、スピネルガラス、サファイアガラス等が挙げられる。無機ガラスは、材料強度（強度）が高いため、例えば加圧や衝撃による変形、割れを少なくすることができ、傷が付きにくく、鏡面性も良くすることができる。これにより、カバーガラス５自体の強度を高く、視認性を良くすることができる。
【００１８】
また、ケース２には、ムーブメント固定部材４０を介して円盤状のムーブメント９が固定されている。図４に示すように、ムーブメント９は、時針１０１、分針１０２および秒針１０３を回転支持する軸９１と、２４時間針１０４および曜日針１０５をそれぞれ回転支持する軸９３とを有している。軸９１は、ムーブメント９の中心部に配置され、各軸９３は、それぞれ、軸９１と異なる位置、すなわち、軸９１回りに離間して配置されている。
【００１９】
このムーブメント９は、太陽電池７０から供給された電力によって、時針１０１、分針１０２、秒針１０３をそれぞれ軸９１を介して駆動し（回転させ）、２４時間針１０４および曜日針１０５を各軸９３を介して駆動する機構を内蔵している。この機構としては、特に限定されず、例えば、太陽電池７０の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて輪列機構を１秒毎に指針を駆動するステップモーターや、ステップモーターの動きを指針に伝達する輪列機構等を備えたものを用いることができる。
ムーブメント固定部材４０は、リング状をなし、その外周部４０１がケース２の内周部２５に嵌合し、内周部４０２がムーブメント９の外周部に嵌合する。これにより、ムーブメント固定部材４０を介して、ムーブメント９がケース２に対し確実に固定される。
【００２０】
ムーブメント９上には、円盤状（板状）をなす太陽電池７０が重ねて設置されている。太陽電池７０は、ムーブメント９と電気的に接続されており、光を受光することにより電力を生成し、電力をムーブメント９に供給することができる。太陽電池７０としては、例えば、ｐ型半導体とｎ型半導体とを重ね合わせて接合したものを用いることができる。ｐ型半導体とは、高純度のシリコン半導体にホウ素等のような３価の元素を極微量混入させたものであり、ｎ型半導体とは、高純度のシリコン半導体にヒ素等のような５価の元素を極微量混入させたものである。このような構成の太陽電池７０に光が照射されると、光電効果によりシリコン内部に電子および正孔が発生する。また、ｐ型半導体とｎ型半導体との境界部にあたるｐｎ接合部では、発生した電子および正孔のうち、プラスの電荷をもった正孔はｐ型半導体側へ、マイナスの電荷をもった電子はｎ型半導体側へ分離・誘導される。これにより、各半導体がそれぞれプラスとマイナスとに帯電して、電位差が生じ、よって、電力をムーブメント９に供給することができる。なお、ｐｎ接合部付近は、空乏層となる。
【００２１】
また、太陽電池７０には、ムーブメント９の軸９１、９３に対応する位置に、当該軸９１、９３がそれぞれ挿通する挿通孔７０１が形成されている。
さらに、太陽電池７０上には、文字板６が重ねて配置されている。文字板６は、円板状をなす部材で構成され、全体として光透過性を有している。これにより、表側から光が照射された際に、当該光は、文字板６を透過することができる。この透過した光は、太陽電池７０で受光される。なお、文字板６の構成材料としては、特に限定されず、例えば、ポリカーボネート（ＰＣ）、アクリロニトリル−ブタジエン−スチレン共重合体（ＡＢＳ樹脂）から選択される少なくとも１種を含む材料で構成されたプラスチック材料、その他、ソーダガラスや石英ガラスを用いることができる。
この文字板６には、ムーブメント９の軸９１、９３がそれぞれ挿通する挿通孔６３が形成されている。
【００２２】
文字板６の表側の面には、時針１０１、分針１０２、秒針１０３が指し示して時刻を表示する機能を有する第１の表示部（目盛り）６４が複数配置されている。これらの第１の表示部６４は、文字板６の周方向に沿って間欠的に配置されており、時刻の「１」〜「１２」に相当する。そして、時針１０１、分針１０２および秒針１０３がそれぞれ第１の表示部６４を指す位置によって、時刻を確認することができる。
【００２３】
また、文字板６の表側の面には、第１の表示部６４と異なる部分に、第２の表示部（目盛り）６８が複数配置されている。これら第２の表示部６８には、２４時間針１０４が指し示すことにより時間を確認することができる「１」〜「２４」の数字がある。その他、第２の表示部６８には、曜日針１０５が指し示すことにより曜日を確認することができる「Ｍｏｎ（月）」、「Ｔｕｅ（火）」、「Ｗｅｄ（水）」、「Ｔｈｕ（木）」、「Ｆｒｉ（金）」、「Ｓａｔ（土）」、「Ｓｕｎ（日）」の文字がある。
【００２４】
また、図４に示すように、文字板６とベゼル７の縮径部７３との間には、円環状をなすリング部材１３が介挿されている。このリング部材１３により、例えば、文字板６の時計１における厚さ方向の位置を規制することができる。
リング部材１３は、その厚さが内側に向かって漸減しており、これにより、傾斜面１３１が形成されている。この傾斜面１３１に、例えば目盛りを付すことができる。これにより、リング部材１３は、文字板としての機能を有することもできる。
【００２５】
ケース２の裏側には、裏蓋３が装着される。図２〜図４に示すように、裏蓋３は、円板状をなす本体部３１と、本体部３１の表側の面３１１に突出形成されたリブ（突部）３２と有している。
本体部３１は、裏蓋３がケース２に装着された際に、表側の面３１１がケース２の裏側の面２８に当接する。これにより、裏蓋３の時計１における厚さ方向の位置が規制される。
また、ケース２の裏側の面２８には、凹部２９が形成されている。この凹部２９には、弾性材料で構成されたパッキン６０が設置されている。このパッキン６０は、凹部２９と本体部３１の表側の面３１１との間で圧縮された状態となっている。これにより、ケース２と裏蓋３との間での液密性、気密性が維持される。
【００２６】
リブ３２は、本体部３１（裏蓋３）の縁部に沿った円環状（リング状）をなす。これにより、後述する複数枚の係合片４をリブ３２上にその周方向に沿って等間隔に配置することができる、すなわち、ケース２の中心軸回りに等角度間隔に配置することができる。係合片４のこのような配置により、当該係合片４による係合力を均一に分散することができ、よって、裏蓋３がケース２に安定して確実に装着される。
【００２７】
なお、ケース２、裏蓋３、ベゼル７、指針１０の構成材料としては、特に限定されず、例えば、ステンレス鋼や、チタンまたはチタン合金等のような各種金属材料（合金を含む）を用いることができる。また、ケース２の構成材料としては、前記各種金属材料の他に、セラミックスも用いることができる。セラミックスで構成されたケース２は、美的外観、強度等に優れたものとなる。
【００２８】
また、ケース２と裏蓋３とは、互いに同じ材料で構成されていてもよいが、互いに異なる材料で構成されているのが好ましい。この場合、ケース２をセラミックスで構成し、裏蓋３を前記各種金属材料で構成することができる。このように時計１では、ケース２と裏蓋３とが別体で構成されているため、各部材（ケース２、裏蓋３）の構成材料を異ならせることができる。そして、各部材に適した構成材料を用いることができる。具体的には、ケース２の構成材料に、美的外観に優れるセラミックスを用い、裏蓋３に、例えばムーブメント９に対しアース（接地）をすることができるステンレス鋼を用いることができる。
【００２９】
これに対し、ケース（時計用ケース）と裏蓋とが一体的に形成された従来の腕時計では、ケースと裏蓋とで構成材料を分けるのは困難である。例えば、構成材料にセラミックスを用いた場合には、ケースと裏蓋とが一括してセラミックスで構成されてしまい、構成材料にステンレス鋼を用いた場合には、ケースと裏蓋とが一括してステンレス鋼で構成されてしまう。
【００３０】
図３〜図５に示すように、ケース２に対して裏蓋３を固定する固定手段３０は、内部空間５０内に配された複数枚の係合片４と、内部空間５０内で各係合片４をそれぞれ固定する固定部材としてのボルト８と、ケース２に設けられ、各係合片４が係合する係合部２７とを有している。
各係合片４は、それぞれ、例えば短冊状をなす板片（小片）で構成されている。係合片４の構成材料としては、特に限定されず、例えば、ステンレス鋼等のような比較的硬質の金属材料を用いることができる。
【００３１】
図３に示すように、各係合片４は、それぞれ、裏蓋３のリブ３２の頂部３２１上に、その周方向に沿って等間隔に配置されている。また、図５に示すように、各係合片４は、それぞれ、その一部がリブ３２の外周部３２２よりも外側に突出している（以下この突出した部分を「突出部４１」という）。各係合片４がそれぞれこのように配置されていることにより、突出部４１がケース２の係合部２７と確実に係合することができる。
【００３２】
また、各係合片４には、それぞれ、突出部４１と反対側の部分に、その厚さ方向に貫通する貫通孔４２が形成されている。貫通孔４２には、ボルト８が挿通する。
各ボルト８は、それぞれ、係合片４を裏蓋３のリブ３２に固定する固定部材である。なお、図５に示すように、リブ３２の頂部３２１には、各係合片４がそれぞれ配される位置に、ボルト８が螺合する雌ネジ３２３が形成されている。この雌ネジ３２３に、係合片４の貫通孔４２を挿通したボルト８が螺合することにより、当該係合片４がリブ３２に確実に固定される。
このように固定部材としてボルト８を用いることにより、「ねじ留め」という簡単な構成（作業）で係合片４を容易かつ確実に固定することができる。
【００３３】
係合部２７は、ケース２の内周部２５にその周方向に沿ってリング状に形成された凹部で構成されている。この係合部２７に各係合片４が臨んで、突出部４１が係合することができる（図５参照）。
また、図５に示すように、各係合片４は、裏蓋３の本体部３１の縁部（表側の面３１１）との間でケース２の一部、すなわち、図示の構成ではケース２の裏側の面２８と係合部２７との間の部分２２を挟持することができる。これにより、固定手段３０における固定機能が向上する、すなわち、固定力が増加することとなる。よって、ケース２に装着された裏蓋３が、ケース２から不本意に離脱するのを確実に防止することができる。
【００３４】
以上のような構成の固定手段３０により、ケース２と裏蓋３とを固定するボルト８が内部空間５０内に配されることとなり、外側からは視認ができない。これにより、時計１は、美的外観に優れたものとなり、審美性が向上する。
これに対し、従来の腕時計のように、ケースの外側から裏蓋に向かってボルトを締め込んでケースと裏蓋とを固定するものの場合、当該ボルトの頭部（ネジ頭）が露出してしまう。このため、従来の腕時計では、美的外観が損なわれてしまい、審美性に欠ける、すなわち、見栄えがよくない。
また、ケース２と裏蓋３とで構成材料を異ならせたい場合にも、固定手段３０は、有効な構成となる。
【００３５】
次に、時計１を組み立てる際の組立順序について、図２〜図４を参照しつつ説明する。
［１］  図２に示すように、ケース２と裏蓋３とを用意し、ケース２の裏側から裏蓋３を仮装着する。このとき、ケース２の凹部２９にパッキン６０を予め配置しておく。これにより、パッキン６０は、ケース２と裏蓋３との間で圧縮される。
［２］  次に、図３に示すように、各係合片４をそれぞれ裏蓋３のリブ３２の所定の位置、すなわち、雌ネジ３２３が形成された位置に配置する。そして、この状態で、各係合片４をそれぞれボルト８で固定する。これにより、前述したように、各係合片４がケース２の係合部２７に係合し、よって、ケース２に裏蓋３が本装着される（固定される）。この裏蓋３は、たとえ外側（裏面側）から引張られても、ケース２から離脱するのが実質的に不可能である。
［３］  次に、図４に示すように、ケース２と裏蓋３とで囲まれた空間に、ムーブメント９と太陽電池７０と文字板６とが予め組み立てられた状態のユニット（モジュール）を表側から収納し、その後、その上側にリング部材１３を配置する。そして、カバーガラス５が予め装着されているベゼル７をケース２に固定する。
【００３６】
このような作業を順番に行なうことにより、時計１が組み立てられる。
また、セラミックスは一般的に脆性材料であり、そのセラミックスでケース２を構成した場合、当該ケース２に直接的に裏蓋３が係合して装着される構成とすると、その係合時にケース２にクラック等が生じることがある。
しかしながら、時計１では、裏蓋３は、固定手段３０を介してケース２に固定されるよう構成されている。このような構成は、セラミックスでケース２を構成した場合でも、当該ケース２に前記クラック等が生じるのが確実に防止され、好ましい。
【００３７】
また、前述したように、時計１は、太陽電池７０からの電力によりムーブメント９が駆動するものである。このため、時計１は、従来の時計のような電池交換のために裏蓋３の着脱を繰り返すものとは異なり、一旦装着された裏蓋３を取り外して再度装着する作業を省略することができる。このような時計１にとっては、裏蓋３がたとえ外側から引張られてもケース２から離脱するのが実質的に不可能となる固定手段３０は、有効な構成となる。
【００３８】
以上、本発明の時計を図示の実施形態について説明したが、本発明は、これに限定されるものではなく、時計を構成する各部は、同様の機能を発揮し得る任意の構成のものと置換することができる。また、任意の構成物が付加されていてもよい。
また、時計用ケースに対して裏蓋を固定する固定手段は、前記実施形態では複数枚の係合片を有する構成となっていたが、これに限定されず、例えば、１枚のリング状をなす係合片を有する構成となっていてもよい。
また、固定手段は、前記実施形態では係合片が裏蓋に配置され、係合片が係合する係合部が時計用ケースに設けられているが、これに限定されず、例えば、係合片が時計用ケースに配置され、係合部が裏蓋に設けられていてもよい。
【符号の説明】
【００３９】
１……腕時計（時計）  ２……ケース（時計用ケース）  ２２……部分  ２３……外周部  ２４……ラグ  ２５……内周部  ２６……拡径部  ２７……係合部  ２８……裏側の面  ２９……凹部  ３……裏蓋  ３１……本体部  ３１１……表側の面  ３２……リブ（突部）  ３２１……頂部  ３２２……外周部  ３２３……雌ネジ  ４……係合片  ４１……突出部  ４２……貫通孔  ５……カバーガラス（風防）  ５１……外周部  ６……文字板  ６３……挿通孔  ６４……第１の表示部（目盛り）  ６８……第２の表示部（目盛り）  ７……ベゼル  ７１……リブ  ７２……内周部  ７３……縮径部  ８……ボルト  ９……ムーブメント  ９１、９３……軸  １０……指針（針）  １０１……時針  １０２……分針  １０３……秒針  １０４……２４時間針（小針）  １０５……曜日針（小針）  １２……りゅうず  １３……リング部材（ダイヤルリング）  １３１……傾斜面  ２０……バンド  ３０……固定手段  ４０……ムーブメント固定部材  ４０１……外周部  ４０２……内周部  ５０……内部空間  ６０……パッキン  ７０……太陽電池  ７０１……挿通孔  ８０、９０……パッキン
【図１】
2013050421.tif 000003
【図２】
2013050421.tif 000004
【図３】
2013050421.tif 000005
【図４】
2013050421.tif 000006
【図５】
2013050421.tif 000007